(57)【要約】      （修正有）【課題】収納ボックスの脆弱なコーナーを保護し、コーナーがぶつかることで損傷する問題を効果的に軽減する収納ボックスのコーナーガードを提供する。【解決手段】一つのコーナー箇所に位置する少なくとも一つの接合部２１を有し、各接合部は外面２１１と、外面の反対にある内面と、外面及び内面を貫通する取付穴２１３と、外面からそれぞれ凹設すると共に接合部の対応する両側箇所に設置する２つの接合溝２１４と、を有する収納ボックスと、収納ボックスの接合部に着脱可能に設置し、外面に当接する当接面３１と、２つの当接面に設置すると共に２つの接合溝にそれぞれ位置決めするようにスライド可能に設ける係止部３２と、当接面に設置すると共に取付穴に位置決めするように貫設する係合柱３３と、を各々有する一つのコーナーガード３０と、を備えている。【選択図】図３
0003229867.tif 000002
【実用新案登録請求の範囲】
【請求項１】
一つのコーナー箇所にそれぞれ位置する少なくとも一つ接合部を有し、各前記接合部は外面と、前記外面の反対にある内面と、前記外面及び前記内面を貫通する取付穴と、前記外面からそれぞれ凹設すると共に前記接合部の対応する両側箇所に設置する２つの接合溝と、を有する収納ボックスと、
前記収納ボックスの接合部に着脱可能に設置し、前記外面に当接する当接面と、２つの前記当接面に設置すると共に前記２つの接合溝にそれぞれ位置決めするようにスライド可能に設ける係止部と、当接面に設置すると共に前記取付穴に位置決めするように貫設する係合柱と、を各々有する一つのコーナーガードと、を備えていることを特徴とする、
収納ボックスのコーナーガード。
【請求項２】
前記係合柱は前記接合部の内面に当接するヘッド部及び前記ヘッド部に連接すると共に前記取付穴が貫通するボディ部を有し、前記係合柱のヘッド部には弾性を有すると共に距離を空ける２つの弾性部を設け、前記２つの弾性部は外力の作用により圧迫された状態になると、前記取付穴を通過することを特徴とする請求項１に記載の収納ボックスのコーナーガード。
【請求項３】
各前記接合溝は弧状傾斜面を有し、各前記係止部はＹ字形を呈し、且つ対応する両側箇所にそれぞれ設けると共に前記弧状傾斜面に当接する２つの傾斜面を有することを特徴とする請求項１に記載の収納ボックスのコーナーガード。
【請求項４】
前記収納ボックスはスーツケース、物置箱、収納ボックス、或いは工具箱の少なくともいずれか一つであることを特徴とする請求項１に記載の収納ボックスのコーナーガード。
【請求項５】
各前記コーナーガードの外観は多面体を呈することを特徴とする請求項１に記載の収納ボックスのコーナーガード。
【考案の詳細な説明】
【技術分野】
【０００１】
本考案は、コーナーガードに関し、更に詳しくは、収納ボックスのコーナーガードに関する。
【背景技術】
【０００２】
一般的にスーツケースや工具箱等の収納ボックス１０（図１参照）は、運送や運搬中に不意にぶつけて陥没したり、摩損したり、倒れる等の問題があった。収納ボックス１０のコーナー１１箇所は特にぶつけやすく、変形や亀裂等を生じ、収納ボックス１０自体の構造をも破壊し、或いは使用者を傷付けることもあった。
【考案の概要】
【考案が解決しようとする課題】
【０００３】
しかしながら、従来の収納ボックス１０は全て一体成形で製造されており、このため、構造上収納ボックス１０のコーナー１１を別途保護することができず、収納ボックス１０のコーナー１１の位置の保護効果が明らかに脆弱であった。収納ボックス１０を不注意に物にぶつけた場合に損傷を回避することが難しく、収納ボックス１０の耐用性が不足しており、耐用年数が短かかった。
【０００４】
さらに、従来の収納ボックス１０は全て一体成形されているため、収納ボックス１０のコーナー１１が損壊してもその部分のみを交換することはできず、収納ボックス１０自体を直接廃棄しなければならなかった。これでは資源を浪費し、経済効率が悪く、消費者にとって負担となっている。
【０００５】
そこで、本考案者は上記の欠点が改善可能と考え、鋭意検討を重ねた結果、合理的設計で上記の課題を効果的に改善する本考案の提案に至った。
【０００６】
本考案は、かかる事情に鑑みてなされたものであり、その目的とするところは、収納ボックスの脆弱なコーナーを保護し、収納ボックスのコーナーがぶつかることで損傷するという問題を効果的に軽減する、収納ボックスのコーナーガードを提供することにある。
【課題を解決するための手段】
【０００７】
上記目的を達成するための主たる考案は、一つのコーナー箇所に位置する４つの接合部を有し、各前記接合部は外面と、前記外面の反対にある内面と、前記外面及び前記内面を貫通する取付穴と、前記外面からそれぞれ凹設すると共に前記接合部の対応する両側箇所に設置する２つの接合溝と、を有する収納ボックスと、前記収納ボックスの接合部に着脱可能に設置し、前記外面に当接する当接面と、２つの前記当接面に設置すると共に前記２つの接合溝にそれぞれ位置決めするようにスライド可能に設ける係止部と、当接面に設置すると共に前記取付穴に位置決めするように貫設する係合柱と、を各々有する４つのコーナーガードと、を備えていることを特徴とする収納ボックスのコーナーガードである。
【０００８】
好ましくは、前記係合柱は前記接合部の内面に当接するヘッド部及び前記ヘッド部に連接すると共に前記取付穴が貫通するボディ部を有し、前記係合柱のヘッド部には弾性を有すると共に距離を空ける２つの弾性部を設け、前記２つの弾性部は外力の作用により圧迫された状態になると、前記取付穴を通過する。
【０００９】
好ましくは、各前記接合溝は弧状傾斜面を有し、各前記係止部はＹ字形を呈し、且つ対応する両側箇所にそれぞれ設けると共に前記弧状傾斜面に当接する２つの傾斜面を有する。
【００１０】
好ましくは、前記収納ボックスはスーツケース、物置箱、収納ボックス、或いは工具箱である。
【００１１】
好ましくは、各前記コーナーガードの外観は多面体を呈する。
【考案の効果】
【００１２】
本考案の収納ボックスのコーナーガードは、主に前記収納ボックス及び前記コーナーガードで構成されている。その主な特徴は、前記収納ボックスのコーナー箇所に着脱可能なコーナーガードを設け、前記収納ボックスのコーナーを保護することで、ぶつかっても変形や亀裂等が生じやすくならないようし、前記収納ボックスのコーナーを保護し、前記収納ボックスの耐用年数を延長する目的を達成する。また、前記コーナーガードは、前記収納ボックス全体のデザイン的美観を高め、消費者の購買欲を刺激し、市場の占有率を高めることを主な目的とする。
【００１３】
本明細書及び図面の記載により、少なくとも、以下の事項が明らかとなる。
【図面の簡単な説明】
【００１４】
【図１】従来の収納ボックスの一実施形態を示す図である。
【図２】本考案の一実施形態に係る収納ボックスを示す構成図である。
【図３】本考案の一実施形態に係る収納ボックスを示す分解図である。
【図４】図２の４−４線に沿う拡大断面図である。
【図５】図２の５−５線に沿う拡大断面図である。
【考案を実施するための形態】
【００１５】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１６】
以下、本考案の実施形態について、図面を参照しながら説明する。
図２乃至図５に示されるように、本考案の一実施形態に係る収納ボックスは、主に収納ボックス２０及び４つのコーナーガード３０で構成する。前記収納ボックス２０としてスーツケースを例とするが、但しこれに限られず、物置箱、収納ボックス、或いは工具箱等のコーナー構造を有する収納ボックスでもよい。
【００１７】
前記収納ボックス２０は、４つのコーナー箇所にそれぞれ位置する４つの接合部２１を有し、各前記接合部２１は外面２１１と、前記外面２１１の反対にある内面２１２と、前記外面２１１及び前記内面２１２を貫通する取付穴２１３と、前記外面２１１からそれぞれ凹設すると共に前記接合部２１の対応する両側箇所に設置する２つの接合溝２１４と、を有する。本実施例では、各前記接合溝２１４は弧状傾斜面２１４１を有する。
【００１８】
前記４つのコーナーガード３０は、前記収納ボックス２０の４つの接合部２１に着脱可能にそれぞれ設置する。
各前記コーナーガード３０は前記外面２１１に当接する当接面３１と、前記当接面３１に設置すると共に前記２つの接合溝２１４にそれぞれ位置決めするようにスライド可能に設ける２つの係止部３２と、当接面３１に設置すると共に前記取付穴２１３を位置決めするように貫設する係合柱３３と、を有し、前記係合柱３３は前記２つの係止部３２の間に位置する。
本実施例では、各前記コーナーガード３０の外観が多面体を呈するため、設計上使用の安全性が高まる。使用者が前記コーナーガード３０に不注意にぶつかっても前記コーナーガード３０の多面構造が、使用者が怪我をしないように保護する防護効果を有する。また、前記コーナーガード３０の多面構造は前記収納ボックス２０全体の耐衝撃強度を更に高め、長期間の使用に耐える目的を達成する。
【００１９】
また、各前記コーナーガード３０は前記収納ボックス２０の接合部２１に着脱可能に装設する。１つの前記コーナーガード３０が損傷した場合、前記コーナーガード３０を交換するのみでよく、前記収納ボックス２０自体を廃棄する必要がない。このため、長期間使用でき、使用上の経済的負担を減らす目的を達成する。
【００２０】
図４に示されるように、各前記コーナーガード３０の係合柱３３は前記接合部２１の内面２１２に当接するヘッド部３３１及び前記ヘッド部３３１に連接すると共に前記取付穴２１３が貫通するボディ部３３２を有する。前記係合柱３３のヘッド部３３１には弾性を有すると共に距離を空ける２つの弾性部３３１１を設け、前記２つの弾性部３３１１が外力の作用を受けて圧迫状態となると、前記取付穴２１３を通過する。前記係合柱３３のヘッド部３３１が前記取付穴２１３を通過した後、前記ヘッド部３３１の２つの弾性部３３１１が正常な状態を回復し、前記係合柱３３のヘッド部３３１が前記接合部２１の内面２１２に位置決めするように当接し、装設の目的を達成する。
使用者が前記コーナーガード３０を取り外す場合、前記収納ボックス２０の内側の前記２つの弾性部３３１１を押し、前記２つの弾性部３３１１を圧迫した状態にすれば取り外し動作が完了する。
【００２１】
なお、図５に示されるように、各前記係止部３２はＹ字形を呈し、且つ対応する両側箇所にそれぞれ設置すると共に前記弧状傾斜面２１４１に当接する２つの傾斜面３２１を有する。これにより、上述した位置決めするようにスライド可能に設置する設計を達成し、着脱の便利さ及び堅固な装設作用を達成する。
【００２２】
以上が本考案の実施例の各主要部材の形態の説明である。本考案の使用方式及び効果については以下に説明する。
【００２３】
このように、本考案の収納ボックスのコーナーガードの主な特徴は、前記収納ボックス２０のコーナー箇所に着脱可能なコーナーガード３０を設置し、前記収納ボックス２０のコーナーを保護することで、ぶつけても変形や亀裂等が生じやすくならないようにし、前記収納ボックス２０のコーナーを保護し、前記収納ボックス２０の耐用年数を延長する目的を達成する。
【００２４】
さらに、前記コーナーガード３０は前記収納ボックス２０全体のデザイン的美観を更に高め、消費者の購買欲を刺激し、市場の占有率を高めることを主な目的とする。
【００２５】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２６】
１０  収納ボックス
１１  コーナー
２０  収納ボックス
２１  接合部
２１１  外面
２１２  内面
２１３  取付穴
２１４  接合溝
２１４１  弧状傾斜面
３０  コーナーガード
３１  当接面
３２  係止部
３２１  傾斜面
３３  係合柱
３３１  ヘッド部
３３１１  弾性部
３３２  ボディ部
【図１】
0003229867.tif 000003
【図２】
0003229867.tif 000004
【図３】
0003229867.tif 000005
【図４】
0003229867.tif 000006
【図５】
0003229867.tif 000007